(57)【要約】【課題】複数の画像処理装置を連携させて動作させる際のユーザ認証にかかる時間をより短くする。【解決手段】実施形態の画像処理システムは、第１の画像処理装置と、１以上の第２の画像処理装置とを備える画像処理システムであって、第１の画像処理装置は、第１の認証方式によりユーザを認証する第１の認証情報の入力を受け付ける入力部と、第１の認証情報を使用して自装置に対する認証を行う認証部と、１以上の第２の画像処理装置の機能を利用する連携部と、を備え、認証部は、連携部を動作させるときに、１以上の第２の画像処理装置に第１の認証情報を送信し、第１の認証情報により第２の画像処理装置に対する認証ができなかった場合、第１の認証情報により認証ができなかった第２の画像処理装置に、第２の画像処理装置の第２の認証方式を示す認証方式情報の送信要求を送信する。【選択図】図４
2016178354.tif 000002
【特許請求の範囲】
【請求項１】
第１の画像処理装置と、１以上の第２の画像処理装置とを備える画像処理システムであって、
前記第１の画像処理装置は、
第１の認証方式によりユーザを認証する第１の認証情報の入力を受け付ける入力部と、
前記第１の認証情報を使用して自装置に対する認証を行う認証部と、
前記１以上の第２の画像処理装置の機能を利用する連携部と、を備え、
前記認証部は、前記連携部を動作させるときに、前記１以上の第２の画像処理装置に前記第１の認証情報を送信し、前記第１の認証情報により前記第２の画像処理装置に対する認証ができなかった場合、前記第１の認証情報により認証ができなかった前記第２の画像処理装置に、前記第２の画像処理装置の第２の認証方式を示す認証方式情報の送信要求を送信する、
画像処理システム。
【請求項２】
前記第１の画像処理装置から前記第１の認証情報を受信すると、前記第１の認証情報を前記１以上の第２の画像処理装置に送信し、前記１以上の第２の画像処理装置のそれぞれから前記第１の認証情報による認証結果を受信すると、前記認証結果を前記第１の画像処理装置に送信する連携制御部を備えるサーバ装置、
を更に備える請求項１に記載の画像処理システム。
【請求項３】
前記連携制御部は、前記第１の画像処理装置から前記認証方式情報の送信要求を受信すると、前記認証方式情報の送信要求を、前記第１の認証情報により認証ができなかった第２の画像処理装置に送信し、前記第１の認証情報により認証ができなかった第２の画像処理装置から前記認証方式情報を受信すると、前記認証方式情報を前記第１の画像処理装置に送信する、
請求項２に記載の画像処理システム。
【請求項４】
第１の認証方式によりユーザを認証する第１の認証情報の入力を受け付ける入力部と、
前記第１の認証情報を使用して自装置に対する認証を行う認証部と、
自装置から１以上の他の画像処理装置の機能を利用する連携部と、を備え、
前記認証部は、前記連携部を動作させるときに、前記１以上の他の画像処理装置に前記第１の認証情報を送信し、前記第１の認証情報により認証ができなかった前記他の画像処理装置に、前記第１の認証情報により認証ができなかった他の画像処理装置の第２の認証方式を示す認証方式情報の送信要求を送信する、
画像処理装置。
【請求項５】
１以上の第２の画像処理装置と接続された第１の画像処理装置の認証方法であって、
入力部が、第１の認証方式によりユーザを認証する第１の認証情報の入力を受け付けるステップと、
認証部が、前記第１の認証情報を使用して自装置に対する認証を行うステップと、
連携部が、前記１以上の第２の画像処理装置の機能を利用するステップと、
認証部が、前記連携部を動作させるときに、前記１以上の第２の画像処理装置に前記第１の認証情報を送信するステップと、
認証部が、前記第１の認証情報により前記第２の画像処理装置に対する認証ができなかった場合、前記第１の認証情報により認証ができなかった前記第２の画像処理装置に、前記第２の画像処理装置の第２の認証方式を示す認証方式情報の送信要求を送信するステップと、
を含む認証方法。
【請求項６】
コンピュータを、
第１の認証方式によりユーザを認証する第１の認証情報の入力を受け付ける入力部と、
前記第１の認証情報を使用して自装置に対する認証を行う認証部と、
自装置から１以上の他の画像処理装置の機能を利用する連携部、
として機能させるプログラムであって、
前記認証部は、前記連携部を動作させるときに、前記１以上の他の画像処理装置に前記第１の認証情報を送信し、前記第１の認証情報により認証ができなかった前記他の画像処理装置に、前記第１の認証情報により認証ができなかった他の画像処理装置の第２の認証方式を示す認証方式情報の送信要求を送信する、
プログラム。
【発明の詳細な説明】
【技術分野】
【０００１】
本発明は画像処理システム、画像処理装置、認証方法及びプログラムに関する。
【背景技術】
【０００２】
画像処理装置単体では実現できない機能を、当該機能を実現できる他の画像処理装置と連携させることで実行可能とする画像処理システムの技術が従来から知られている。また複数の画像処理装置を連携させて動作させる際に、特定の画像処理装置に画像処理システム全体の認証機能を持たせる技術が従来から知られている。
【０００３】
特許文献１には、ジョブデータの送信元ＭＦＰ（Ｍｕｌｔｉｆｕｎｃｔｉｏｎ  Ｐｅｒｉｐｈｅｒａｌ）が、ジョブデータと共に、認証方式及び認証サーバ情報を送信先ＭＦＰに送り、送信元ＭＦＰの認証方式及び認証サーバ情報と、送信先ＭＦＰの認証方式及び認証サーバ情報とが同一であれば、送信先ＭＦＰの認証を認証済みにする発明が開示されている。
【発明の概要】
【発明が解決しようとする課題】
【０００４】
しかしながら従来の技術では、複数の画像処理装置を連携させて動作させる際のユーザ認証に時間がかかっていた。
【０００５】
本発明は、上記に鑑みてなされたものであって、複数の画像処理装置を連携させて動作させる際のユーザ認証にかかる時間をより短くすることを目的とする。
【課題を解決するための手段】
【０００６】
上述した課題を解決し、目的を達成するために、本発明は、第１の画像処理装置と、１以上の第２の画像処理装置とを備える画像処理システムであって、前記第１の画像処理装置は、第１の認証方式によりユーザを認証する第１の認証情報の入力を受け付ける入力部と、前記第１の認証情報を使用して自装置に対する認証を行う認証部と、前記１以上の第２の画像処理装置の機能を利用する連携部と、を備え、前記認証部は、前記連携部を動作させるときに、前記１以上の第２の画像処理装置に前記第１の認証情報を送信し、前記第１の認証情報により前記第２の画像処理装置に対する認証ができなかった場合、前記第１の認証情報により認証ができなかった前記第２の画像処理装置に、前記第２の画像処理装置の第２の認証方式を示す認証方式情報の送信要求を送信する。
【発明の効果】
【０００７】
本発明によれば、複数の画像処理装置を連携させて動作させる際のユーザ認証にかかる時間をより短くすることができるという効果を奏する。
【図面の簡単な説明】
【０００８】
【図１】図１は第１実施形態の画像処理システムの装置構成の例を示す図である。
【図２】図２は第１実施形態の画像処理装置のハードウェア構成の例を示す図である。
【図３】図３は第１実施形態のサーバ装置のハードウェア構成の例を示す図である。
【図４】図４は第１実施形態の画像処理装置の機能構成の例を示す図である。
【図５】図５は第１実施形態のサーバ装置の機能構成の例を示す図である。
【図６】図６は第１実施形態の画像処理システムの認証方法の例を示すフローチャートである。
【図７】図７は第１実施形態のログイン画面の例を示す図である。
【図８】図８は第１実施形態の機能選択画面の例を示す図である。
【図９】図９は他装置に対する第１実施形態の認証処理の例を示すフローチャートである。
【図１０】図１０は第１実施形態のログインエラーの表示例を示す図である。
【図１１】図１１は第１実施形態の認証方式エラーの表示例を示す図である。
【図１２】図１２は第１実施形態の連携機能起動後の選択画面の表示例を示す図である。
【図１３】図１３は第１実施形態の装置選択画面（エラー無しの場合）の例を示す図である。
【図１４】図１４は第１実施形態の装置選択画面（エラー有りの場合）の例を示す図である。
【図１５】図１５は第１実施形態のサーバ装置が認証要求を受信した場合の動作方法の例を示すフローチャートである。
【図１６】図１６は第１実施形態の画像処理装置が認証要求を受信した場合の動作方法の例を示すフローチャートである。
【図１７】図１７は第１実施形態のサーバ装置が認証方式情報の送信要求を受信した場合の動作方法の例を示すフローチャートである。
【図１８】図１８は第１実施形態の画像処理装置が認証方式情報の送信要求を受信した場合の動作方法の例を示すフローチャートである。
【図１９】図１９は第２実施形態のサーバ装置の機能構成の例を示す図である。
【図２０】図２０は第２実施形態のサーバ装置の動作方法の例を示す図である。
【図２１】図２１は第３実施形態の画像処理システムの装置構成の例を示す図である。
【図２２】図２２は第３実施形態の端末の機能構成の例を示す図である。
【発明を実施するための形態】
【０００９】
以下に添付図面を参照して、画像処理システム、画像処理装置、認証方法及びプログラムの実施形態を詳細に説明する。
【００１０】
（第１実施形態）
図１は第１実施形態の画像処理システム１００の装置構成の例を示す図である。第１実施形態の画像処理システム１００は、画像処理装置１０−１〜１０−Ｎ（Ｎは２以上の整数）、及び、サーバ装置２０を備える。画像処理装置１０−１〜１０−Ｎ及びサーバ装置２０は、ネットワーク５０を介して接続されている。ネットワーク５０の接続方式は有線方式でも無線方式でもよく、また有線方式と無線方式とを組み合わせてもよい。以下、画像処理装置１０−１〜１０−Ｎを区別しない場合、単に画像処理装置１０という。
【００１１】
画像処理装置１０は、コピー、ＦＡＸ、スキャン、印刷及びＯＣＲ（Ｏｐｔｉｃａｌ  Ｃｈａｒａｃｔｅｒ  Ｒｅａｄｅｒ）等の機能を有する。それぞれの画像処理装置１０の画像処理に係る性能等は異なっていてもよい。画像処理に係る性能は、例えば使用可能な機能の有無、使用可能な印刷用紙のサイズ、カラー印刷の実行可否、両面印刷の実行可否、及び、印刷速度（ＰＰＭ：Ｐａｇｅ  Ｐｅｒ  Ｍｉｎｕｔｅ）等である。
【００１２】
サーバ装置２０は、画像処理装置１０−１〜１０−Ｎを連携させて動作させるための制御を行う。サーバ装置２０は、例えば画像処理装置１０から、他の画像処理装置１０の機能を利用する連携機能を使用するための認証要求を受信する。
【００１３】
図２は第１実施形態の画像処理装置１０のハードウェア構成の例を示す図である。第１実施形態の画像処理装置１０は、読取装置２０１、操作パネル２０２、ＣＰＵ２０３、ＲＯＭ２０４、ＲＡＭ２０５、印刷装置２０６、画像メモリ２０７、補助記憶装置２０８、及び、ＮＩＣ（Ｎｅｔｗｏｒｋ  Ｉｎｔｅｒｆａｃｅ  Ｃａｒｄ）２０９を備える。読取装置２０１、操作パネル２０２、ＣＰＵ２０３、ＲＯＭ２０４、ＲＡＭ２０５、印刷装置２０６、画像メモリ２０７、補助記憶装置２０８及びＮＩＣ２０９は、バス２２０を介して接続されている。
【００１４】
読取装置２０１は原稿を読み取るスキャナである。操作パネル２０２は情報の表示と入力とが可能な装置である。操作パネル２０２は、例えば液晶タッチパネルである。ＣＰＵ２０３はプログラムを実行することにより、画像処理装置１０の動作を制御する。ＲＯＭ２０４はＣＰＵ２０３により実行されるプログラム等を記憶する。ＲＡＭ２０５はＣＰＵ２０３がプログラムを実行するときに、当該プログラムに関する情報を一時的に記憶する。
【００１５】
印刷装置２０６は、紙等の記録媒体に画像を印刷するプロッタである。画像メモリ２０７は読取装置２０１により読み取られた画像、及び、当該画像の圧縮データ等を記憶する。補助記憶装置２０８は様々な情報を記憶する。補助記憶装置２０８は、例えばメモリカード及びＨＤＤ等である。ＮＩＣ２０９は、画像処理システム１００に接続された他の装置と通信する装置である。
【００１６】
図３は第１実施形態のサーバ装置２０のハードウェア構成の例を示す図である。第１実施形態のサーバ装置２０は、表示装置３０１、入力装置３０２、ＣＰＵ３０３、ＲＯＭ３０４、ＲＡＭ３０５、画像メモリ３０６、補助記憶装置３０７及びＮＩＣ３０８を備える。表示装置３０１、入力装置３０２、ＣＰＵ３０３、ＲＯＭ３０４、ＲＡＭ３０５、画像メモリ３０６、補助記憶装置３０７及びＮＩＣ３０８は、バス３２０を介して接続されている。
【００１７】
表示装置３０１は情報を表示する液晶ディスプレイ等である。入力装置３０２は情報を入力する装置である。入力装置３０２は、例えばキーボード及びマウス等である。なお表示装置３０１及び入力装置３０２は、情報の表示と入力とが可能な液晶タッチパネル等でもよい。
【００１８】
ＣＰＵ３０３はプログラムを実行することにより、サーバ装置２０の動作を制御する。ＲＯＭ３０４はＣＰＵ３０３により実行されるプログラム等を記憶する。ＲＡＭ３０５はＣＰＵ３０３がプログラムを実行するときに、当該プログラムに関する情報を一時的に記憶する。画像メモリ３０６は、画像処理装置１０により読み取られた画像、及び、当該画像の圧縮データ等を記憶する。補助記憶装置３０７は様々な情報を記憶する。補助記憶装置３０８は、例えばメモリカード及びＨＤＤ等である。ＮＩＣ３０８は、画像処理システム１００に接続された他の装置と通信する装置である。
【００１９】
図４は第１実施形態の画像処理装置１０の機能構成の例を示す図である。第１実施形態の画像処理装置１０は、記憶部１１、表示部１２、入力部１３、認証部１４、連携部１５、通信部１６、ジョブ制御部１７、読取部１８及び印刷部１９を備える。
【００２０】
記憶部１１は情報を記憶する。記憶部１１に記憶される情報は、例えば自装置を使用する各ユーザの認証方式情報及び認証情報、並びに、それぞれの画像処理装置１０の性能を示す性能情報等である。認証方式情報は、ユーザの認証方式を示す情報である。認識方式情報は、例えばユーザＩＤ及びパスワードの組み合わせ方式、又は、パスコード方式等を示す情報である。認証情報は、例えばユーザＩＤ及びパスワード、又は、暗証番号等である。性能情報は、画像処理装置１０毎に、例えば自装置が有する機能の種類、使用可能な印刷用紙のサイズ、カラー印刷の実行可否、両面印刷の実行可否、及び、印刷速度等を記憶する。
【００２１】
表示部１２は、画像処理システム１００のユーザから、画像処理装置１０の操作を示す入力を受け付ける表示画面等の情報を表示する。
【００２２】
入力部１３は、画像処理システム１００のユーザから、画像処理装置１０の操作を示す入力等を受け付ける。表示部１２及び入力部１３は、上述の操作パネル２０２（図２参照）により実現される。
【００２３】
入力部１３は、例えば画像処理システム１００のユーザを認証する認証情報を、画像処理装置１０の設定に応じた認証方式により受け付ける。認証方式は任意でよい。例えば認証方式がユーザＩＤ及びパスワード方式の場合、入力部１３はユーザＩＤ及びパスワードの組み合わせにより認証情報を受け付ける。また例えば認証方式がパスコード方式の場合、入力部１３はパスコードにより認証情報を受け付ける。入力部１３は、画像処理システム１００のユーザから認証情報を受け付けると、当該認証情報を認証部１４に入力する。
【００２４】
認証部１４は、入力部１３から認証情報を受け付けると、当該認証情報を使用して自装置の認証を行う。認証部１４により自装置のログインが完了した場合、自装置が有するコピー等の機能が利用可能になる。
【００２５】
また認証部１４は、自装置から他の画像処理装置１０の機能を利用する連携部１５を動作させるときに、自装置に対する認証に使用された認証情報を含む認証要求を、サーバ装置２０を介して他の画像処理装置１０に送信する。これにより自装置から他の画像処理装置１０に対する認証を行う。このとき認証部１４は、当該認証情報により他の画像処理装置１０に対する認証ができない場合、認証方式情報の送信要求を、サーバ装置２０を介して他の画像処理装置１０に送信することにより、他の画像処理装置１０の認証方式を確認する。
【００２６】
これにより自装置に対する認証に使用された認証情報によってユーザ認証ができた他の画像処理装置１０については、認証方式の確認が行われないので、連携機能の起動を短縮することができる。言い換えると、自装置に対する認証に使用された認証情報によってユーザ認証ができない他の画像処理装置１０について、認証方式の確認が行われるので、連携機能の起動を短縮することができる。
【００２７】
また認証部１４は、通信部１６を介してサーバ装置２０から認証要求を受信すると、当該認証要求に含まれる認証情報により、自装置にログインできるか否かを判定し、認証結果をサーバ装置２０に返信する。
【００２８】
また認証部１４は、通信部１６を介してサーバ装置２０から認証方式情報の送信要求を受信すると、該当ユーザの認証方式情報を記憶部１１から取得し、当該認証方式情報をサーバ装置２０に返信する。
【００２９】
連携部１５は、自装置から他の画像処理装置１０の機能を利用する連携機能に係る制御を行う。連携部１５は、例えば自装置の連携機能が起動されたときに、記憶部１１に記憶された性能情報に基づいて、画像処理システム１００で利用可能な機能を表示部１２に表示する。例えば自装置にＯＣＲ機能がない場合であっても、連携部１５が、自装置から他の画像処理装置１０のＯＣＲ機能を利用することにより、自装置で読み込んだ原稿から文字列データを抽出することができる。
【００３０】
通信部１６は、画像処理装置１０の他の機能ブロックからの要求に応じて、画像処理システム１００に接続された他の装置と通信する。ジョブ制御部１７は、入力部１３により画像処理システム１００のユーザから受け付けられた情報に応じて、コピージョブ及びプリンタジョブ等のジョブを生成し、当該ジョブを実行する。読取部１８は原稿を読み取る。印刷部１９は原稿を印刷する。
【００３１】
なお画像処理装置１０は、更にＦＡＸ機能を制御するＦＡＸ部、及び、ＯＣＲ機能を制御するＯＣＲ部等を備えていてもよい。
【００３２】
図５は第１実施形態のサーバ装置２０の機能構成の例を示す図である。第１実施形態のサーバ装置２０は、記憶部２１、通信部２２、連携制御部２３、表示部２４及び入力部２５を備える。
【００３３】
記憶部２１は情報を記憶する。記憶部２１に記憶される情報は、例えばそれぞれの画像処理装置１０を特定する特定情報等である。特定情報は、例えば画像処理装置名及びＩＰアドレス等である。
【００３４】
通信部２２は、画像処理システム１００に接続された他の装置と通信する。通信部２２は、例えば画像処理装置１０（例えば画像処理装置１０−１）から、他の画像処理装置１０（例えば画像処理装置１０−２〜１０−Ｎ）に対する認証要求、及び、他の画像処理装置１０の認証方式情報の送信要求を受信する。
【００３５】
連携制御部２３は、画像処理システム１００の２以上の画像処理装置１０を連携させる場合の制御を行う。
【００３６】
連携制御部２３は、例えば画像処理装置１０（例えば画像処理装置１０−１）から通信部２２を介して、他の画像処理装置１０（例えば画像処理装置１０−２〜１０−Ｎ）に対する認証要求を受信すると、当該他の画像処理装置１０のそれぞれを特定する特定情報を記憶部２１から取得し、当該特定情報を使用して当該認証要求を送信する。また連携制御部２３は、当該他の画像処理装置１０のそれぞれから受信した認証結果を、他の画像処理装置１０に対する認証要求を送信した画像処理装置１０に返信する。
【００３７】
また連携制御部２３は、例えば画像処理装置１０（例えば画像処理装置１０−１）から通信部２２を介して、他の画像処理装置１０の認証方式情報の送信要求を受信すると、当該他の画像処理装置１０を特定する特定情報を記憶部２１から取得し、当該特定情報を使用して当該認証方式情報の送信要求を送信する。また連携制御部２３は、当該他の画像処理装置１０から受信した認証方式情報を、他の画像処理装置１０の認証方式情報の送信要求を送信した画像処理装置１０に返信する。
【００３８】
表示部２４はサーバ装置２０の状態等を示す情報を表示する。入力部２５はサーバ装置２０の操作を示す入力を受け付ける。
【００３９】
次に第１実施形態の認証方法の例について説明する。画像処理システム１００のユーザが、画像処理装置１０−１を操作する場合を例にして説明する。
【００４０】
図６は第１実施形態の画像処理システム１００の認証方法の例を示すフローチャートである。はじめに、画像処理装置１０−１の入力部１３が、画像処理システム１００のユーザを認証する認証情報を、画像処理装置１０−１の設定に応じた認証方式により受け付ける（ステップＳ１）。
【００４１】
図７は第１実施形態のログイン画面の例を示す図である。図７の例は、認証方式がユーザＩＤ及びパスワード方式の場合を示す。画像処理装置１０−１の表示部１２が、図７に示すログイン画面を表示し、画像処理装置１０−１の入力部１３が、当該ログイン画面を介して、ユーザＩＤ及びパスワードの組み合わせを認証情報として受け付ける。
【００４２】
次に、画像処理装置１０−１の認証部１４が、ステップＳ１で受け付けた認証情報を使用して自装置（画像処理装置１０−１）に対する認証処理を行う（ステップＳ２）。例えば図７のログイン画面が表示部１２により表示される場合、画像処理装置１０−１の認証部１４は、画像処理装置１０−１の記憶部１１に予め記憶されていたユーザＩＤ及びパスワードの組み合わせと、ステップＳ１で認証情報として受け付けたユーザＩＤ及びパスワードの組み合わせと、が一致した場合、画像処理装置１０−１へのログインを許可する。
【００４３】
次に、画像処理装置１０−１の入力部１３が、画像処理システム１００のユーザから連携機能の起動を示す入力を受け付けると、画像処理装置１０−１の連携部１５が、連携機能の起動を開始する（ステップＳ３）。
【００４４】
図８は第１実施形態の機能選択画面の例を示す図である。図８の例は、画像処理装置１０−１で選択できる機能として、コピー、ＦＡＸ、スキャン、プリント及び連携機能がある場合を示す。コピー、ＦＡＸ、スキャン及びプリントは、画像処理装置１０−１単体で実現できる機能を示す。連携機能は、自装置の機能と、他の画像処理装置１０の機能と、を連携させる機能を示す。画像処理装置１０−１の入力部１３は、表示部１２に表示された機能選択画面を介して連携機能の起動を示す入力を受け付ける。
【００４５】
図６に戻り、次に、画像処理装置１０−１の連携部１５が、他装置に対する認証処理を、画像処理装置１０−１の認証部１４に要求すると、画像処理装置１０−１の認証部１４が、他装置に対する認証処理を行う（ステップＳ４）。
【００４６】
次にステップＳ４の他装置に対する認証処理について図９を参照して説明する。
【００４７】
図９は他装置に対する第１実施形態の認証処理の例を示すフローチャートである。はじめに、画像処理装置１０−１の認証部１４が、画像処理装置１０−１の通信部１６を介して、自装置の認証で使用された認証情報を含む認証要求をサーバ装置２０に送信する（ステップＳ１１）。なおサーバ装置２０が認証要求を受信したときのサーバ装置２０の動作方法の説明については、図１５を参照して後述する。
【００４８】
次に、画像処理装置１０−１の認証部１４が、画像処理装置１０−１の通信部１６を介して、サーバ装置２０から他の画像処理装置１０毎に認証結果を受信する（ステップＳ１２）。
【００４９】
次に、画像処理装置１０−１の認証部１４が、ステップＳ１２で受信した認証結果がＯＫであるか否かを判定する（ステップＳ１３）。
【００５０】
認証結果がＯＫの場合（ステップＳ１３、Ｙｅｓ）、ステップＳ１９の処理に進む。
【００５１】
認証結果がＯＫでない場合（ステップＳ１３、Ｎｏ）、画像処理装置１０−１の認証部１４が、画像処理装置１０−１の通信部１６を介して、認証結果がＯＫでなかった画像処理装置１０で使用されている認証方式情報の送信要求を、サーバ装置２０に送信する（ステップＳ１４）。なおサーバ装置２０が認証方式情報の送信要求を受信したときのサーバ装置２０の動作方法の説明については、図１７を参照して後述する。
【００５２】
次に、画像処理装置１０−１の認証部１４が、画像処理装置１０−１の通信部１６を介して、サーバ装置２０から認証方式情報を受信する（ステップＳ１５）。次に、画像処理装置１０−１の認証部１４が、自装置の認証方式と、ステップＳ１５で受信した認証方式情報が示す認証方式と、が一致するか否かを判定する（ステップＳ１６）。
【００５３】
認証方式が一致する場合（ステップＳ１６、Ｙｅｓ）、画像処理装置１０−１の認証部１４が、ログインエラーを示す情報を表示部１２に表示し（ステップＳ１７）、ステップＳ１９の処理に進む。
【００５４】
図１０は第１実施形態のログインエラーの表示例を示す図である。図１０の例は、画像処理装置名が「ＭＦＰ  Ｘ」のユーザＩＤ又はパスワードが違うため、「ＭＦＰ  Ｘ」にログインできなかった場合を示す。「キャンセル」が押下された場合、画像処理装置１０−１の認証部１４は、「ＭＦＰ  Ｘ」に対するログインエラーの状態を維持する。「再試行」が押下された場合、画像処理装置１０−１の認証部１４は、再度入力されたユーザＩＤ及びパスワードを含む認証要求を、画像処理装置１０−１の通信部１６を介して「ＭＦＰ  Ｘ」に送信する。
【００５５】
図９に戻り、認証方式が一致しない場合（ステップＳ１６、Ｎｏ）、画像処理装置１０−１の認証部１４が、認証方式エラーを示す情報を表示部１２に表示し（ステップＳ１８）、ステップＳ１９の処理に進む。
【００５６】
図１１は第１実施形態の認証方式エラーの表示例を示す図である。図１１の例は、画像処理装置名が「ＭＦＰ  Ｘ」の認証方式設定が違うため、「ＭＦＰ  Ｘ」にログインできなかった場合を示す。「キャンセル」が押下された場合、画像処理装置１０−１の認証部１４は、「ＭＦＰ  Ｘ」に対する認証方式エラーの状態を維持する。「認証方式設定」が押下された場合、画像処理装置１０−１の認証部１４は、変更された認証方式（例えばパスコード方式）により、変更された認証情報（例えばパスコード）を含む認証要求を、画像処理装置１０−１の通信部１６を介して「ＭＦＰ  Ｘ」に送信する。
【００５７】
図９に戻り、画像処理装置１０−１の認証部１４が、画像処理装置１０−２〜１０−Ｎの全てから認証結果を受信したか否かを判定する（ステップＳ１９）。画像処理装置１０−１の認証部１４は、例えば認証結果を返信するサーバ装置２０によって認証結果に付与された、最後の認証結果を示すフラグ等を参照することにより、画像処理装置１０−２〜１０−Ｎの全てから認証結果を受信したか否かを判定する。
【００５８】
画像処理装置１０−２〜１０−Ｎの全てから認証結果を受信していない場合（ステップＳ１９、Ｎｏ）、ステップＳ１２の処理に戻る。画像処理装置１０−２〜１０−Ｎの全てから認証結果を受信した場合（ステップＳ１９、Ｙｅｓ）、画像処理装置１０−１の認証部１４が、画像処理装置１０−２〜１０−Ｎのそれぞれの認証結果を、画像処理装置１０−１の連携部１５に入力すると、連携機能の起動を完了する（ステップＳ２０）。
【００５９】
図１２は第１実施形態の連携機能起動後の選択画面の表示例を示す図である。例えば「スキャン  ｔｏ  ＦＡＸ」は、画像処理装置１０−１でスキャンを行って、他の画像処理装置１０−２〜１０−ＮのいずれかのＦＡＸ機能を利用する場合に選択される。
【００６０】
図１３は第１実施形態の装置選択画面（エラー無しの場合）の例を示す図である。図１３の例は、連携先として利用できる画像処理装置１０として、「ＭＦＰ  Ａ」〜「ＭＦＰ  Ｈ」が、画像処理装置１０−１の表示部１２に表示された場合を示す。例えば図１２の選択画面で「スキャン  ｔｏ  ＦＡＸ」が選択された場合、画像処理装置１０−１の連携部１５が、画像処理装置１０−１の記憶部１１に記憶された上述の性能情報を参照し、ＦＡＸ機能を有する画像処理装置として図１３の装置選択画面を画像処理装置１０−１の表示部１２に表示する。図１３の例は、「ＭＦＰ  Ａ」〜「ＭＦＰ  Ｈ」の全てにログインできている場合を示す。
【００６１】
一方、図１４は第１実施形態の装置選択画面（エラー有りの場合）の例を示す図である。図１４の例は、連携先として利用できる画像処理装置１０として、「ＭＦＰ  Ａ」〜「ＭＦＰ  Ｈ」が、画像処理装置１０−１の表示部１２に表示された場合を示す。例えば図１２の選択画面で「スキャン  ｔｏ  ＦＡＸ」が選択された場合、画像処理装置１０−１の連携部１５が、画像処理装置１０−１の記憶部１１に記憶された上述の性能情報を参照し、ＦＡＸ機能を有する画像処理装置として図１４の装置選択画面を画像処理装置１０−１の表示部１２に表示する。図１４の例は、「ＭＦＰ  Ｂ」はログインエラーのため使用不可である場合を示す。また図１４の例は、「ＭＦＰ  Ｄ」は認証方式エラーのため使用不可である場合を示す。
【００６２】
図１４の装置選択画面の表示により、画像処理システム１００のユーザに、ログインエラー又は認証方式エラーが発生している画像処理装置１０を示すことができる。そのため上述のステップＳ１７のログインエラーを示す情報の表示処理（図１０参照）、及び、上述のステップＳ１８の認証方式エラーを示す情報の表示処理（図１１参照）を省略してもよい。
【００６３】
また画像処理装置１０−１の認証部１４が、上述のステップＳ１４〜ステップＳ１８を行わずに、エラーの種類を判定しないようにしてもよい。
【００６４】
次に第１実施形態のサーバ装置２０の動作方法について説明する。
【００６５】
まずサーバ装置２０が、画像処理装置１０から他の画像処理装置１０に対する認証要求を受信した場合について説明する。具体的に、画像処理装置１０−１が画像処理装置１０−２〜１０−Ｎに対する認証要求をサーバ装置２０に送信した場合を例にして説明する。
【００６６】
図１５は第１実施形態のサーバ装置２０が認証要求を受信した場合の動作方法の例を示すフローチャートである。はじめに、連携制御部２３が、通信部２２を介して画像処理装置１０−１から、画像処理装置１０−２〜１０−Ｎのそれぞれに対する認証要求を受信する（ステップＳ３１）。次に、連携制御部２３が、画像処理装置１０−２〜１０−Ｎのそれぞれを特定する特定情報を記憶部２１から取得し、ステップＳ３１で受信した認証要求の送信先を特定する（ステップＳ３２）。次に、連携制御部２３が、通信部２２を介して画像処理装置１０−２〜１０−Ｎのそれぞれに当該認証要求を送信する（ステップＳ３３）。
【００６７】
次に、連携制御部２３が、通信部２２を介して、画像処理装置１０−２〜１０−Ｎのそれぞれから認証結果を受信する（ステップＳ３４）。次に、連携制御部２３が、通信部２２を介して、ステップＳ３４で受信した認証結果を画像処理装置１０−１に返信する（ステップＳ３５）。なお認証結果の送信単位は任意でよい。連携制御部２３は、全ての認証結果を１度に送信してもよいし、２以上の認証結果毎にまとめて送信してもよいし、認証結果を１つずつ送信してもよい。
【００６８】
図１６は第１実施形態の画像処理装置１０が認証要求を受信した場合の動作方法の例を示すフローチャートである。画像処理装置１０−２が、サーバ装置２０から認証要求を受信した場合を例にして説明する。はじめに、画像処理装置１０−２の認証部１４が、通信部１６を介してサーバ装置２０から認証要求を受信する（ステップＳ４１）。
【００６９】
次に、画像処理装置１０−２の認証部１４が、認証要求に含まれる認証情報により、自装置（画像処理装置１０−２）にログインできるか否かを判定する（ステップＳ４２）。例えば認証情報がユーザＩＤ及びパスワードの組み合わせの場合、画像処理装置１０−２の認証部１４は、画像処理装置１０−２の記憶部１１に予め記憶されていたユーザＩＤ及びパスワードの組み合わせと、ステップＳ４１で受け付けた認証要求に含まれるユーザＩＤ及びパスワードの組み合わせと、が一致した場合、画像処理装置１０−２へのログインを許可する（認証ＯＫ）。
【００７０】
画像処理装置１０−２にログインできる場合（ステップＳ４２、Ｙｅｓ）、画像処理装置１０−２の認証部１４が、通信部１６を介して認証ＯＫを示す情報をサーバ装置２０に返信する（ステップＳ４３）。
【００７１】
画像処理装置１０−２にログインできない場合（ステップＳ４２、Ｎｏ）、画像処理装置１０−２の認証部１４が、通信部１６を介して認証ＮＧを示す情報をサーバ装置２０に返信する（ステップＳ４４）。
【００７２】
次にサーバ装置２０が、画像処理装置１０から、他の画像処理装置１０の認証方式情報の送信要求を受信した場合について説明する。具体的に、画像処理装置１０−１が画像処理装置１０−２の認証方式情報の送信要求をサーバ装置２０に送信した場合を例にして説明する。
【００７３】
図１７は第１実施形態のサーバ装置２０が認証方式情報の送信要求を受信した場合の動作方法の例を示すフローチャートである。はじめに、連携制御部２３が、通信部２２を介して画像処理装置１０−１から、画像処理装置１０−２の認証方式情報の送信要求を受信する（ステップＳ５１）。次に、連携制御部２３が、画像処理装置１０−２を特定する特定情報を記憶部２１から取得し、ステップＳ５１で受信した認証方式情報の送信要求の送信先を特定する（ステップＳ５２）。次に、連携制御部２３が、通信部２２を介して画像処理装置１０−２に当該認証方式情報の送信要求を送信する（ステップＳ５３）。
【００７４】
次に、連携制御部２３が、通信部２２を介して、画像処理装置１０−２から認証方式情報を受信する（ステップＳ５４）。次に、連携制御部２３が、通信部２２を介して、ステップＳ５４で受信した認証方式情報を画像処理装置１０−１に返信する（ステップＳ５５）。
【００７５】
図１８は第１実施形態の画像処理装置１０が認証方式情報の送信要求を受信した場合の動作方法の例を示すフローチャートである。画像処理装置１０−２が、サーバ装置２０から認証方式情報の送信要求を受信した場合を例にして説明する。はじめに、画像処理装置１０−２の認証部１４が、通信部１６を介してサーバ装置２０から認証方式情報の送信要求を受信する（ステップＳ６１）。
【００７６】
次に、画像処理装置１０−２の認証部１４が、該当ユーザの認証方式情報を記憶部１１から取得する（ステップＳ６２）。次に、画像処理装置１０−２の認証部１４が、ステップＳ６２で取得された認証方式情報をサーバ装置２０に返信する（ステップＳ６３）。
【００７７】
以上説明したように、第１実施形態の画像処理システム１００では、画像処理装置１０（例えば画像処理装置１０−１）の認証部１４が、連携部１５を動作させるときに、他の画像処理装置１０（例えば画像処理装置１０−２〜１０−Ｎ）に、自装置で使用された認証情報を送信することにより、他の画像処理装置１０に対する認証を行う。そして画像処理装置１０の認証部１４が、自装置で使用された認証情報により他の画像処理装置１０に対する認証ができない場合、当該他の画像処理装置１０に認証方式を確認する。
【００７８】
これにより自装置に対する認証に使用された認証情報によってユーザ認証ができた他の画像処理装置１０については、認証方式の確認が行われないので、連携機能の起動をより短くすることができる。
【００７９】
（第２実施形態）
次に第２実施形態について説明する。第２実施形態の説明では、第１実施形態の説明と異なる箇所について説明し、第１実施形態の説明と同様の説明については省略する。第２実施形態は、サーバ装置２０の機能構成が第１実施形態と異なる。
【００８０】
図１９は第２実施形態のサーバ装置２０の機能構成の例を示す図である。第２実施形態のサーバ装置２０は、記憶部２１、通信部２２、連携制御部２３、表示部２４、入力部２５及び認証部２６を備える。第２実施形態のサーバ装置２０は、第１実施形態のサーバ装置２０の構成に認証部２６が追加されている。なお第１実施形態の連携制御部２３により行われていた認証に係る制御処理は、第２実施形態の認証部２６が行う。
【００８１】
記憶部２１は情報を記憶する。記憶部２１に記憶される情報は、例えばそれぞれの画像処理装置１０を特定する特定情報等である。特定情報は、例えば画像処理装置名及びＩＰアドレス等である。
【００８２】
通信部２２は、画像処理システム１００に接続された他の装置と通信する。通信部２２は、例えば画像処理装置１０から、他の画像処理装置１０に対する認証要求を受信する。
【００８３】
連携制御部２３は、画像処理システム１００の２以上の画像処理装置１０を連携させる場合の制御を行う。
【００８４】
表示部２４はサーバ装置２０の状態等を示す情報を表示する。入力部２５はサーバ装置２０の操作を示す入力を受け付ける。
【００８５】
認証部２６は、画像処理装置１０（例えば画像処理装置１０−１）から通信部２２を介して、他の画像処理装置１０（例えば画像処理装置１０−２〜１０−Ｎ）に対する認証要求を受信すると、当該他の画像処理装置１０のそれぞれを特定する特定情報を記憶部２１から取得し、当該特定情報を使用して当該認証要求を送信する。また認証部２６は、当該他の画像処理装置１０のそれぞれから受信した認証結果を画像処理装置１０に返信する。
【００８６】
また認証部２６は、認証要求の認識結果がＮＧの場合、認証結果がＮＧの画像処理装置１０で使用されている認証方式情報の送信要求を、通信部２２を介して当該画像処理装置１０に送信することにより、当該画像処理装置１０の認証方式を確認する。
【００８７】
次に第２実施形態のサーバ装置２０の動作方法について説明する。画像処理装置１０−１が画像処理装置１０−２〜１０−Ｎに対する認証要求をサーバ装置２０に送信した場合を例にして説明する。
【００８８】
図２０は第２実施形態のサーバ装置２０の動作方法の例を示す図である。はじめに、サーバ装置２０の認証部２６が、通信部２２を介して画像処理装置１０−１から、画像処理装置１０−２〜１０−Ｎのそれぞれに対する認証要求を受信する（ステップＳ７１）。次に、サーバ装置２０の認証部２６が、画像処理装置１０−２〜１０−Ｎのそれぞれを特定する特定情報を記憶部２１から取得し、ステップＳ７１で受信した認証要求の送信先を特定する（ステップＳ７２）。次に、サーバ装置２０の認証部２６が、通信部２２を介して画像処理装置１０−２〜１０−Ｎのそれぞれに当該認証要求を送信する（ステップＳ７３）。
【００８９】
次に、サーバ装置２０の認証部２６が、通信部２２を介して、画像処理装置１０−２〜１０−Ｎのそれぞれから認証結果を受信する（ステップＳ７４）。
【００９０】
次に、サーバ装置２０の認証部２６が、ステップＳ７４で受信した認証結果がＯＫであるか否かを判定する（ステップＳ７５）。
【００９１】
認証結果がＯＫの場合（ステップＳ７５、Ｙｅｓ）、サーバ装置２０の認証部２６が、認証ＯＫを示す情報を記憶部２１に記憶し（ステップＳ８１）、ステップＳ８２の処理に進む。
【００９２】
認証結果がＯＫでない場合（ステップＳ７５、Ｎｏ）、サーバ装置２０の認証部２６が、サーバ装置２０の通信部２２を介して、認証結果がＯＫでなかった画像処理装置１０で使用されている認証方式情報の送信要求を、当該画像処理装置１０に送信する（ステップＳ７６）。
【００９３】
次に、サーバ装置２０の認証部２６が、サーバ装置２０の通信部２２を介して、ステップＳ７６で送信した認証方式情報の送信要求の宛先の画像処理装置１０から、認証方式情報を受信する（ステップＳ７７）。
【００９４】
次に、サーバ装置２０の認証部２６が、認証要求を送信した画像処理装置１０−１のユーザの認証方式と、ステップＳ７７で受信した認証方式情報が示す認証方式と、が一致するか否かを判定する（ステップＳ７８）。画像処理装置１０−１のユーザの認証方式は、サーバ装置２０の認証部２６が、認証要求に含まれるユーザの認証情報から特定する。例えば認証要求に含まれる認証情報が、ユーザＩＤ及びパスワードの場合、ユーザＩＤにより特定されるユーザの認証方式が、ユーザＩＤ及びパスワードの組み合わせ方式であることを特定する。
【００９５】
認証方式が一致する場合（ステップＳ７８、Ｙｅｓ）、サーバ装置２０の認証部２６が、ログインエラーを示す情報を記憶部２１に記憶し（ステップＳ７９）、ステップＳ８２の処理に進む。
【００９６】
認証方式が一致しない場合（ステップＳ７８、Ｎｏ）、サーバ装置２０の認証部２６が、認証方式エラーを示す情報を記憶部２１に記憶し（ステップＳ８０）、ステップＳ８２の処理に進む。
【００９７】
次に、サーバ装置２０の認証部２６が、画像処理装置１０−２〜１０−Ｎの全てから認証結果を受信したか否かを判定する（ステップＳ８２）。
【００９８】
画像処理装置１０−２〜１０−Ｎの全てから認証結果を受信していない場合（ステップＳ８２、Ｎｏ）、ステップＳ７４の処理に戻る。
【００９９】
画像処理装置１０−２〜１０−Ｎの全てから認証結果を受信した場合（ステップＳ８２、Ｙｅｓ）、サーバ装置２０の認証部２６が、画像処理装置１０−２〜１０−Ｎのそれぞれの認証結果を記憶部２１から取得し、画像処理装置１０−２〜１０−Ｎのそれぞれの認証結果を画像処理装置１０−１に送信する（ステップＳ８３）。
【０１００】
以上説明したように、第２実施形態の画像処理システム１００によれば、サーバ装置２０の認証部２６が、例えば画像処理装置１０−１の連携部１５を動作させるときに、他の画像処理装置１０（画像処理装置１０−２〜１０−Ｎ）に、画像処理装置１０−１で使用された認証情報を送信することにより、他の画像処理装置１０に対する認証を行う。そしてサーバ装置２０の認証部２６が、画像処理装置１０−１で使用された認証情報により他の画像処理装置１０に対する認証ができない場合、当該他の画像処理装置１０に認証方式を確認する。
【０１０１】
これにより自装置に対する認証に使用された認証情報によってユーザ認証ができた他の画像処理装置１０については、認証方式の確認が行われないので、連携機能の起動をより短くすることができる。画像処理システム１００に含まれる画像処理装置１０の数が多いほど、連携機能の起動時間を短縮する効果が大きくなる。
【０１０２】
（第３実施形態）
次に第３実施形態について説明する。第３実施形態の説明では、第１実施形態の説明と異なる箇所について説明し、第１実施形態の説明と同様の説明については省略する。第３実施形態は、画像処理システム１００の装置構成が第１実施形態と異なる。
【０１０３】
図２１は第３実施形態の画像処理システム１００の装置構成の例を示す図である。第３実施形態の画像処理システム１００は、画像処理装置１０−１〜１０−Ｎ、サーバ装置２０及び端末３０を備える。第３実施形態の画像処理システム１００は、第１実施形態の装置構成に端末３０が追加されている。端末３０のハードウェア構成の説明は、サーバ装置２０のハードウェア構成の例（図３参照）と同様なので省略する。
【０１０４】
端末３０は、Ｗｉ−Ｆｉ  Ｄｉｒｅｃｔ（登録商標）及びＢｌｕｅｔｏｏｔｈ（登録商標）等の通信方式により画像処理装置１０（例えば画像処理装置１０−１）と接続される。これにより画像処理システム１００のユーザは、画像処理装置１０の操作パネル２０２（表示部１２及び入力部１３）だけでなく、端末３０から画像処理装置１０を操作することができる。
【０１０５】
図２２は第３実施形態の端末３０の機能構成の例を示す図である。第３実施形態の端末３０は、記憶部３１、表示部３２、入力部３３、認証部３４、連携部３５、通信部３６及びジョブ制御部３７を備える。端末３０が画像処理装置１０−１と接続される場合を例にして説明する。
【０１０６】
記憶部３１は情報を記憶する。記憶部３１に記憶される情報は、例えば画像処理装置１０−１を使用する各ユーザの認証方式及び認証情報、並びに、それぞれの画像処理装置１０の性能を示す性能情報等である。
【０１０７】
表示部３２は、画像処理システム１００のユーザから、画像処理装置１０−１の操作を示す入力を受け付ける表示画面等の情報を表示する。入力部３３は、画像処理システム１００のユーザから、画像処理装置１０−１の操作を示す入力等を受け付ける。入力部１３は、例えば画像処理システム１００のユーザを認証する認証情報を、画像処理装置１０−１の設定に応じた認証方式により受け付ける。入力部１３は、画像処理システム１００のユーザから認証情報を受け付けると、当該認証情報を認証部３４に入力する。
【０１０８】
認証部３４は、入力部３３から認証情報を受け付けると、当該認証情報を使用して画像処理装置１０−１の認証を行う。認証部１４により画像処理装置１０−１のログインが完了した場合、画像処理装置１０−１が有するコピー等の機能が利用可能になる。
【０１０９】
また認証部３４は、他の画像処理装置１０（画像処理装置１０−２〜１０−Ｎ）の機能を利用する連携部３５を動作させるときに、画像処理装置１０−１に対する認証に使用された認証情報を含む認証要求を、サーバ装置２０を介して他の画像処理装置１０に送信することにより、他の画像処理装置１０に対する認証を行う。このとき認証部３４は、当該認証情報により他の画像処理装置１０に対する認証ができない場合、認証方式情報の送信要求を、サーバ装置２０を介して他の画像処理装置１０に送信することにより、他の画像処理装置１０の認証方式を確認する。
【０１１０】
これにより画像処理装置１０−１に対する認証に使用された認証情報によってユーザ認証ができた他の画像処理装置１０については、認証方式の確認が行われないので、連携機能の起動を短縮することができる。言い換えると、画像処理装置１０−１に対する認証に使用された認証情報によってユーザ認証ができない他の画像処理装置１０について、認証方式の確認が行われるので、連携機能の起動を短縮することができる。
【０１１１】
また認証部３４は、通信部３６を介してサーバ装置２０から認証要求を受信すると、当該認証要求に含まれる認証情報により、画像処理装置１０−１にログインできるか否かを判定し、認証結果をサーバ装置２０に返信する。
【０１１２】
また認証部３４は、通信部３６を介してサーバ装置２０から認証方式情報の送信要求を受信すると、該当ユーザの認証方式情報を記憶部３１から取得し、当該認証方式情報をサーバ装置２０に返信する。
【０１１３】
連携部３５は、画像処理装置１０−１から他の画像処理装置１０の機能を利用する連携機能に係る制御を行う。連携部３５は、例えば画像処理装置１０−１の連携機能が起動されたときに、記憶部３１に記憶された性能情報に基づいて、画像処理システム１００で利用可能な機能を表示部３２に表示する。例えば画像処理装置１０−１にＯＣＲ機能がない場合であっても、連携部３５が、画像処理装置１０−１から他の画像処理装置１０のＯＣＲ機能を利用することにより、画像処理装置１０−１で読み込んだ原稿から文字列データを抽出することができる。
【０１１４】
通信部３６は、端末３０の他の機能ブロックからの要求に応じて、画像処理システム１００に接続された他の装置と通信する。ジョブ制御部３７は、入力部３３により画像処理システム１００のユーザから受け付けられた情報に応じて、コピージョブ及びプリンタジョブ等のジョブを生成し、当該ジョブを通信部３６を介して画像処理装置１０−１に送信する。
【０１１５】
第３実施形態の端末３０の認証処理の例は、第１実施形態の画像処理装置１０の場合（図９参照）と同様なので説明を省略する。
【０１１６】
以上説明したように、第３実施形態の画像処理システムでは、画像処理装置１０（例えば画像処理装置１０−１）に接続された端末３０の認証部３４が、連携部３５を動作させるときに、他の画像処理装置１０（例えば画像処理装置１０−２〜１０−Ｎ）に、画像処理装置１０−１で使用された認証情報を送信することにより、他の画像処理装置１０に対する認証を行う。そして端末３０の認証部３４が、画像処理装置１０で使用された認証情報により他の画像処理装置１０に対する認証ができない場合、当該他の画像処理装置１０に認証方式を確認する。
【０１１７】
これにより画像処理装置１０に対する認証に使用された認証情報によってユーザ認証ができた他の画像処理装置１０については、認証方式の確認が行われないので、連携機能の起動をより短くすることができる。
【０１１８】
画像処理装置１０、サーバ装置２０及び端末３０で実行されるプログラムは、インストール可能な形式又は実行可能な形式のファイルでＣＤ−ＲＯＭ、メモリカード、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記憶されてコンピュータ・プログラム・プロダクトとして提供される。
【０１１９】
また画像処理装置１０、サーバ装置２０及び端末３０で実行されるプログラムを、インターネット等のネットワークに接続されたコンピュータ上に格納し、ネットワーク経由でダウンロードさせることにより提供するように構成してもよい。また画像処理装置１０、サーバ装置２０及び端末３０が実行するプログラムを、ダウンロードさせずにインターネット等のネットワーク経由で提供するように構成してもよい。
【０１２０】
また画像処理装置１０、サーバ装置２０及び端末３０のプログラムを、ＲＯＭ等に予め組み込んで提供するように構成してもよい。
【０１２１】
画像処理装置１０、サーバ装置２０及び端末３０で実行されるプログラムは、上述した各機能ブロックのうち、プログラムにより実現可能な機能ブロックを含むモジュール構成となっている。画像処理装置１０の場合、プログラムにより実現可能な機能ブロックは、例えば表示部１２、入力部１３、認証部１４、連携部１５、通信部１６及びジョブ制御部１７等である。サーバ装置２０の場合、プログラムにより実現可能な機能ブロックは、例えば通信部２２、連携制御部２３、表示部２４、入力部２５及び認証部２６等である。端末３０の場合、プログラムにより実現可能な機能ブロックは、例えば表示部３２、入力部３３、認証部３４、連携部３５、通信部３６及びジョブ制御部３７等である。
【０１２２】
画像処理装置１０の場合、プログラムにより実現される機能ブロックは、ＣＰＵ２０３が補助記憶装置２０８等の記憶媒体からプログラムを読み出して実行することにより、プログラムにより実現される機能ブロックがＲＡＭ２０５にロードされる。すなわちプログラムにより実現される機能ブロックは、ＲＡＭ２０５上に生成される。
【０１２３】
サーバ装置２０及び端末３０の場合、プログラムにより実現される機能ブロックは、ＣＰＵ３０３が補助記憶装置３０７等の記憶媒体からプログラムを読み出して実行することにより、プログラムにより実現される機能ブロックがＲＡＭ３０５にロードされる。すなわちプログラムにより実現される機能ブロックは、ＲＡＭ３０５上に生成される。
【０１２４】
なおプログラムにより実現可能な機能ブロックの一部又は全部を、プログラムにより実現せずに、ＩＣ等のハードウェアにより実現してもよい。
【符号の説明】
【０１２５】
１０  画像処理装置
１１  記憶部
１２  表示部
１３  入力部
１４  認証部
１５  連携部
１６  通信部
１７  ジョブ制御部
１８  読取部
１９  印刷部
２０  サーバ装置
２１  記憶部
２２  通信部
２３  連携制御部
２４  表示部
２５  入力部
２６  認証部
３０  端末
３１  記憶部
３２  表示部
３３  入力部
３４  認証部
３５  連携部
３６  通信部
３７  ジョブ制御部
【先行技術文献】
【特許文献】
【０１２６】
【特許文献１】特開２０１２−１５５５６８号公報
【図１】
2016178354.tif 000003
【図２】
2016178354.tif 000004
【図３】
2016178354.tif 000005
【図４】
2016178354.tif 000006
【図５】
2016178354.tif 000007
【図６】
2016178354.tif 000008
【図７】
2016178354.tif 000009
【図８】
2016178354.tif 000010
【図９】
2016178354.tif 000011
【図１０】
2016178354.tif 000012
【図１１】
2016178354.tif 000013
【図１２】
2016178354.tif 000014
【図１３】
2016178354.tif 000015
【図１４】
2016178354.tif 000016
【図１５】
2016178354.tif 000017
【図１６】
2016178354.tif 000018
【図１７】
2016178354.tif 000019
【図１８】
2016178354.tif 000020
【図１９】
2016178354.tif 000021
【図２０】
2016178354.tif 000022
【図２１】
2016178354.tif 000023
【図２２】
2016178354.tif 000024